(57)【要約】【課題】眼鏡チェーンを付けたままの眼鏡を眼鏡ケースに納めて携行しても、眼鏡レンズが眼鏡チェーンで傷付けられないようする。【解決手段】ケース蓋部４の裏側に、眼鏡チェーン、イヤリング、指輪等の小物を収容する小物収納蓋５をヒンジ部材５ａを介して開閉可能に取り付け、ケース蓋部４の裏側に閉じられる小物収納蓋５と、ケース蓋部４裏側との間に、小物が収納される小物収納スペースＳ２を形成し、収容スペースが形成されるとき、小物収納蓋５はヒンジ部材５ａに設けられたばね部材のばね力によりケース蓋部４裏側に当接する方向に付勢される一方、ばね部材のばね力に抗して小物収容蓋４を開いたときには、小物収納スペースＳ２に小物が出し入れ自在となるようにした。【選択図】      図１
2004201923.tif 000002
【特許請求の範囲】
【請求項１】
眼鏡を収容するケース本体部と、当該ケース本体部に開閉可能に設けられたケース蓋部とを有する眼鏡ケースにおいて、上記ケース蓋部の裏側に、眼鏡のチェーン、イヤリング、指輪等の小物類を収容する小物収納蓋をヒンジ部材を介して開閉可能に取り付け、当該小物収納蓋が上記ケース蓋部の裏側に閉じられるときに、上記小物収納蓋と、上記ケース蓋部裏側との間に、上記眼鏡のチェーンや小物類が収納される小物収納スペースが形成されるようにしたことを特徴とする眼鏡ケース。
【請求項２】
上記小物収納蓋の一方側の縁部は、上記ヒンジ部材近傍に沿って取り付ける一方、上記小物収納蓋の他方側の縁部に、上記眼鏡のツルに装着された眼鏡チェーンを係止する溝を切欠き形成し、上記小物収納蓋が閉じられたときに、上記ケース本体部に収容された眼鏡の上記眼鏡チェーンが、上記溝を経由して上記小物収納スペースに収納されるようにしたことを特徴とする請求項１記載の眼鏡ケース。
【請求項３】
上記ヒンジ部材に、ばね部材を設け、上記小物収納スペースが形成されるときには、上記小物収納蓋を上記ケース蓋部裏側に常時閉じる方向に付勢し、上記小物収容蓋を開いて上記小物を収納するときには、上記小物収納蓋を開いた状態に保持するようにしたことを特徴とする請求項２記載の眼鏡ケース。
【請求項４】
上記小物収納蓋の他方側の縁部と上記ケース蓋部との間に、面ファスナー手段を介装し、当該面ファスナー手段により上記小物収納蓋が上記ケース蓋部に密着して上記小物収納スペースを保持するように形成したことを特徴とする請求項２記載の眼鏡ケース。
【請求項５】
上記ケース本体部に、上記小物収納蓋の開いた状態を保持するように支持するストッパ部材を設ける一方、上記小物収納蓋の他方側の縁部に密着する上記ケース蓋部裏側にクッション部材を取り付け、上記ケース本体に上記ケース蓋部を閉じたときに、上記小物収納蓋が、上記ストッパ部材と上記クッション部材との間で挟まれるように形成されるようにしたことを特徴とする請求項２記載の眼鏡ケース。
【発明の詳細な説明】
【０００１】
【発明の属する技術分野】
本発明は、眼鏡ケースに関し、殊に眼鏡ケース内部に、眼鏡を収納するスペースとは別に、小物や、チェーン付き眼鏡のチェーンや小物をも収納しうる小物収納スペースを設けた眼鏡ケースに関する。
【０００２】
【従来の技術】
従来、眼鏡ケース（以下「従来のもの」という）は、眼鏡を収納するケース本体部と、このケース本体部にヒンジ部材を介して開閉可能に設けられたケース蓋部とからなり、眼鏡をケース本体部に収納して後、ケース蓋部を蓋し、その状態で眼鏡ケースを持ち運びできるように構成されている。これにより、外部からの衝撃に対して眼鏡が損傷しないようにし、また、眼鏡レンズなどが汚れないように保護している。そして、眼鏡のツルに金属製のチェーンを取り付けて、眼鏡の落下を防止するタイプのチェーン付き眼鏡を収納する場合には、眼鏡をケース本体部に収納するときに、チェーンも同時に収納して、ケース蓋を蓋することで、眼鏡ケースを携行するようになっている。
【０００３】
他方、例えば特開平１１−１８８１７号公報に記載されている眼鏡ケースもあるが、これは、本来の眼鏡収納スペースの他に、眼鏡ケースの蓋部の裏側にも、ポケット状の収納部を設けて、この収納部に予備の眼鏡を収納しうるように構成されている。これにより、乗り物に乗車している場合に、一方の手で眼鏡ケースを持ちながら、他方の手で蓋部裏側の収納部あるいは本来の眼鏡収納スペースの空いてる箇所に、現在掛けている眼鏡を外して収納し、その後、掛け替え用の眼鏡を取り出して装着することができるので、不安定な場所でも眼鏡の取り替えを容易に、安定した状態で行えるようにしたものである。
【０００４】
【発明が解決しようとする課題】
しかしながら、上記従来のものにあっては、チェーン付き眼鏡を収納して携行する場合に、眼鏡ケース内部にチェーンが直接に入れられてしまう構造であるために、チェーンが眼鏡ケース内で踊ってしまうことにより、眼鏡レンズ面が傷付けられてしまう恐れがあった。また、係る事態を回避するために、眼鏡ケースの外に、チェーンだけを出した状態にしてバッグなどに入れて携行するような場合、バッグから眼鏡ケースを取り出そうとするときに、チェーンがバッグ内の荷物に引っ掛かってしまい、スムーズに取り出しができなくなるといった問題がある。
また、上記特開平１１−１８８１７号のもののように、眼鏡ケースの蓋の裏側に設けた収納部は、予備の眼鏡を収容するためのものではあるが、この収納部に眼鏡の代わりにチェーンや小物類（イヤリング、指輪など）を収納したとすると、携行時にチェーンや小物類が収納部の口から出てきて、眼鏡ケース内で眼鏡レンズを傷付けてしまう恐れがある。
【０００５】
本発明は、上記問題点に鑑みて工夫されたものであり、眼鏡ケース内部に、眼鏡を収納するスペースとは別に、チェーン付き眼鏡のチェーンや小物をも収納しうる小物収納スペースを設け、眼鏡ケースをバッグなどに入れて携行して歩いても、眼鏡レンズがチェーンで傷を付けられないようにした眼鏡ケースを提供することを目的とする。
【０００６】
【課題を解決するための手段】
上記目的を達成するために、本発明においては、次のような構成を有する。すなわち、請求項１記載の発明に係る眼鏡ケースは、眼鏡を収容するケース本体部と、当該ケース本体部に開閉可能に設けられたケース蓋部とを有する眼鏡ケースにおいて、上記ケース蓋部の裏側に、眼鏡のチェーン、イヤリング、指輪等の小物類を収容する小物収納蓋をヒンジ部材を介して開閉可能に取り付け、当該小物収納蓋が上記ケース蓋部の裏側に閉じられるときに、上記小物収納蓋と、上記ケース蓋部裏側との間に、上記小物類が収納される小物収納スペースが形成されるようにしたことを特徴とする。
【０００７】
この請求項１記載の発明によれば、上記構成を採ることで、ケース蓋部の裏側に開閉可能に取り付けられた小物収納蓋を閉じることにより、小物収納スペースが形成されるため、眼鏡チェーンや小物類を容易に小物収納蓋内に収納できて便利となる。
【０００８】
また、請求項２記載の発明は、請求項１記載の眼鏡ケースに係り、上記小物収納蓋の一方側の縁部は、上記ヒンジ部材近傍に沿って取り付ける一方、上記小物収納蓋の他方側の縁部に、上記眼鏡のツルに装着された眼鏡チェーンを係止する溝を切欠き形成し、上記小物収納蓋が閉じられたときに、上記ケース本体部に収容された眼鏡の上記眼鏡チェーンが、上記溝を経由して上記小物収納スペースに収納されるようにしたことを特徴とする。
【０００９】
この請求項２記載の発明によれば、眼鏡チェーンを、小物収納蓋の溝に掛けた状態で、小物収納スペースにしまい込むことができ、そのため、眼鏡本体と眼鏡チェーンとを区分けした状態で眼鏡ケース内に収納でき、眼鏡ケースを携行しても、眼鏡ケース内部で眼鏡チェーンが踊ることがないので、眼鏡レンズをチェーンで傷付けられることを未然に回避できるようになる。
【００１０】
また、請求項３記載の発明は、請求項２記載の眼鏡ケースに係り、上記ヒンジ部材に、ばね部材を設け、上記小物収納スペースが形成されるときには、上記小物収納蓋を上記ケース蓋部裏側に常時閉じる方向に付勢し、上記小物収容蓋を開いて上記眼鏡チェーンや小物を収納するときには、上記小物収納蓋を開いた状態に保持するようにしたことを特徴とする。
【００１１】
この請求項３記載の発明によれば、ケース蓋部の裏側に開閉可能に取り付けられた小物収納蓋が、ケース蓋部側に閉じられたとき、ヒンジ部材に設けたばね部材のばね力により、ケース蓋部の裏側に常時当接（密着）することとなり、ケース蓋部との間に隙間を生じるようなことがなく、小物収納スペース内に収納された眼鏡チェーン等の小物類が小物収納スペースから外部に不用意にはみ出すようなことがなく、その結果、眼鏡レンズを眼鏡チェーンや小物で傷付けられることを確実に阻止できるようになる。
【００１２】
また、請求項４記載の発明は、請求項２記載の眼鏡ケースに係り、上記小物収納蓋の他方側の縁部と上記ケース蓋部との間に、面ファスナー手段を介装し、当該面ファスナー手段により上記小物収納蓋が上記ケース蓋部に密着して上記小物収納スペースを保持するように形成したことを特徴とする。
【００１３】
この請求項４記載の発明によれば、小物収納蓋は、例えば粘着テープといった面ファスナー手段を介してケース蓋部に密着した状態で小物収納スペースが形成されるため、眼鏡ケースを携行する最中でも、小物収納蓋が不意に開くことがなく、眼鏡チェーンや小物による眼鏡レンズの傷つけは回避することができるようになる。
【００１４】
また、請求項５記載の発明は、請求項２記載の眼鏡ケースに係り、上記ケース本体部に、上記小物収納蓋の開いた状態を保持するように支持するストッパ部材を設ける一方、上記小物収納蓋の他方側の縁部に密着する上記ケース蓋部裏側にクッション部材を取り付け、上記ケース本体に上記ケース蓋部を閉じたときに、上記小物収納蓋が、上記ストッパ部材と上記クッション部材との間で挟まれるように形成されるようにしたことを特徴とする。
【００１５】
この請求項５記載の発明によれば、小物収納蓋はヒンジ部材の回りに自由に回転し、小物収納蓋を開いたときには、ストッパ部材により受け止められて支持される。ケース蓋部をケース本体部に閉めると、小物収納部はストッパ部材とクッション部材との間に挟まれる。このとき、クッション部材は弾性変形するようになり、これにより小物収納蓋は、ケース蓋部との間に隙間を生じることがない。このため、小物収納スペース内部の眼鏡チェーンや小物類が外部へはみ出すようなことを回避できるようになる。
【００１６】
【発明の実施の形態】
以下において、本発明の実施の形態に係る眼鏡ケースを、図１乃至図４に基づいて詳述する。眼鏡ケースは、眼鏡１を収容する眼鏡収納スペースＳ１を有するケース本体部２と、このケース本体部２にケースヒンジ部３を介して開閉可能に設けられたケース蓋部４とで構成されている。ケース本体部２には、収納時の眼鏡１の踊りを少なくしてその位置を安定させる帯状の安定枠部２ａが設けられている。また、ケース本体部２の外側には、ケース蓋部４に取り付けられたフック４ａが挿入される小さな窓穴状の係止部２ｂと、この係止部２ｂに挿入されて施錠状態にあるフック４ａを解錠する解錠部２ｃとが設けられていて、解錠部２ｃを押し込むことにより、施錠状態にあるフック４ｃを解錠して、ケース蓋部４を開くことができるようになっている。なお、眼鏡ケースの形状及び開閉方法についての上記具体例は一例であって、これに何ら限定されるものではなく、本発明の適用が可能なあらゆる眼鏡ケースの形状及び開閉方法に適用できる。
【００１７】
また、ケース蓋部４の裏側のケースヒンジ部３に近接する位置には、イヤリングや指輪などの小物を収容する小物収納蓋５の一方側の縁部が、蝶番のごときヒンジ部材５ａを介して回動するように設けられている。これにより、図１および図２の実線で示すように、小物収納蓋５が全開位置（完全に開いた状態の位置）と、二点鎖線で示される全閉位置（完全に蓋をした状態の位置）とに亘って回転自在となっている。この小物収納蓋５における、ヒンジ部材５ａを取り付けた辺を除いた他の３辺をなす、側辺部５ｂと中央周辺部５ｃは、小物収納蓋５が全閉位置になった場合に、ケース蓋４の内面（裏側の面）に当たるように形成され、この全閉位置の状態において、ケース蓋部４と小物収納蓋５との間に小物収納スペースＳ２（空間）が形成される。
【００１８】
また、ヒンジ部材５ａは、図示されないばね部材を内蔵していて、小物収納蓋５が上記全閉位置にあるとき、その全閉状態を保持するように付勢する一方で、上記全開位置にあるときには、その全閉位置を維持し続けるように付勢するばね力を有するものである。小物収納蓋５をケース蓋部４の裏側に完全に閉じるように閉めた場合には、そのばね力によりケース蓋部４の裏側との間で小物収納スペースＳ２が維持されるようになっている。
【００１９】
また、小物収納蓋５の他方側の縁部の一つである上記中央周辺部５ｃの縁部には、眼鏡１の左右のツル１ａに取り付けられた眼鏡チェーン１ｂを通すことができる寸法を有する溝５ｄ（凹所）が切り欠いて形成されている。この溝５ｄは、小物収納蓋５が閉じられたときに（上記全閉位置の状態）、眼鏡チェーン１ｂが、眼鏡収納スペースＳ１と、ケース蓋部４裏側との間に小穴が形成され、そこに眼鏡チェーン１ｂが通されることとなる。
【００２０】
また、小物収納蓋５の素材は、特に限定するものではないが、好ましくは、内部を視認できるように、例えばアクリル、ポリプロピレンなどの合成樹脂材やガラスなどの素材で形成されている。素材を透明とすれば内部が確認できるので更に好ましい。さらに、小物収納蓋５の中央周辺５ｃの央部に、開閉用の開閉ひも６が取り付けられている。
【００２１】
次に、上記実施の形態において、眼鏡１を収納する手順を説明する。まず、図２の実線で示されるように、ケース本体部２にケース蓋部４を閉じた状態の眼鏡ケースにおいて、解錠部２ｃを押し込んで、フック４ａとの施錠状態を解錠する。ケース蓋部４をケースヒンジ部３回りに矢印Ｘ１方向に回転して、二点鎖線のように開く（図１、図３および図４では、実線で示す状態）。ケース蓋４を完全に開いた状態において、左右のツル１ａを折り畳んだ眼鏡を、図１の二点鎖線（図４では実線）に示されるように、ケース本体部２の眼鏡収納スペースＳ１にしまい込む。そのとき、眼鏡チェーン１ｂはたぐり寄せて揃えておく。
【００２２】
次に、開閉ひも６を摘みながら、上記した図示されないヒンジ部材５ａ内蔵のばね部材のばね力に抗して引っ張る。そして、図３に示すように、小物収納蓋５を、途中のＡ状態を経てＢ状態までＸ２方向に回転させて完全に開く。小物収納蓋５が完全に開ききった状態では、このばね部材のばね力の作用により、完全開位置の姿勢（Ｂ状態の姿勢）が安定的に保持されることとなる。この状態で、左右のツル１ａから伸びている眼鏡チェーン１ｂを一つに束ねて左右いずれかの溝５ｄ（本実施の形態では左側の溝）に引っ掛けるようにして通し（図４参照）、眼鏡チェーン１ｂを開いた状態にある小物収納蓋５の裏側に載せる。こうして、眼鏡チェーン１ｂは、ケース本体部２の眼鏡収納スペースＳ１側からケース蓋部４側へ一旦差し渡す。なお、この場合、眼鏡チェーンを一つに束ねないで、左右の溝５ｄに個別にチェーン１ｂを通すようにしてもよい。
【００２３】
この後、小物収納蓋５を、ヒンジ部材５ａを回転中心として図示しない内蔵ばね部材のばね力に抗して図３の矢印Ｘ２方向とは反対方向に回転して閉じていく。すると、小物収納蓋５は、図４に示すように、ケース蓋部４の裏側に閉じられる。これにより、眼鏡チェーン１ｂは、ケース蓋部４と小物収納蓋５との間に形成された小物収納スペースＳ２内に収められることとなる。次いで、ケース蓋部４を、図２に示す矢印Ｘ１とは反対方向に回転させて閉じることにより、チェーン付き眼鏡１は、眼鏡チェーンとは別々に眼鏡ケース内に収納保持され、眼鏡ケースを携行することができるようになる。
【００２４】
眼鏡ケースから、チェーン付き眼鏡１を取り出す場合には、上記操作を反対に行うことで、取り出すことができる。
【００２５】
本実施の形態によれば、眼鏡ケースの携行時には、眼鏡１の、眼鏡のツル１ａ、眼鏡レンズ１ｃ等の眼鏡本体部は眼鏡収納スペースＳ１に、また、眼鏡チェーン１ｂは小物収納部Ｓ２に、それぞれ区分けされた状態で収納される。このため、小物収納蓋５がばね部材のばね力により、ケース蓋部４の裏側に常時当接する方向に付勢されて密着した状態で、眼鏡チェーン１ｂが小物収納スペースＳ２内に収められる。そして、眼鏡チェーン１ｂは、チェーン１ｂとチェーン１ｂとの繋ぎ目のくびれが溝５ｄで終始引っ掛かった状態にあり、眼鏡チェーン１ｂが小物収納スペースＳ２から眼鏡収納スペースＳ１に踊り出すようなことが阻止される。その結果、眼鏡本体部と、眼鏡チェーン１ｂとが、別々に仕切られた状態で収まるため、眼鏡チェーン１ｂによって眼鏡レンズ１ｃが直接に傷付けられることを確実に阻止できるようになる。また、小物収納蓋５を透明素材で形成した場合には、小物収納スペースＳに収まっている小物やチェーン１ｂを外から一目で視ることができ、眼鏡を使用する場合における取り出し操作を容易に行えるようになり、便利である。
【００２６】
以上、本発明を上記実施の形態により詳述してきたが、具体的な構成はこの実施の形態に限られるものでなく、本発明の要旨を逸脱しない範囲の設計変更等があっても本発明に含まれる。
例えば、上記実施の形態では、小物収納蓋５をそのヒンジ部５ａに設けた図示しないばね部材のばね力により、ケース蓋部４に接触するように形成した場合について説明したが、ばね部材を設ける代わりに、例えば図４に示すように、小物収納蓋５の中央周辺部５ｃ端部と、中央周辺部５ｃ端部が接触するケース蓋部４裏側との間に、面ファスナー手段Ｆ（具体的には、粘着テープ等）を取り付けるようにした第１変形例にすることも可能である。従って、この第１変形例によれば、面ファスナー手段Ｆで小物収納蓋５をケース蓋部４に密着させることにより、チェーン１ｂを小物収納スペースＳ２に収容できる。また、小物収納蓋５を開ける場合には、開閉ひも６を面ファスナー手段Ｆの密着力に打ち勝つようにして摘んで引くことで、開くことができる。こうして、面ファスナー手段Ｆを設けるだけの簡単な構成で、小物収納蓋５の開閉を容易に行えるようになる。
【００２７】
また、上記実施の形態では、小物収納蓋５をヒンジ部５ａにばね部材を内蔵したり、上記第１変形例のように、面ファスナー手段を用いて小物収納蓋５の開閉を行うように構成したが、このようなばね部材や面ファスナー手段を用いないで、自由に小物収納蓋を開閉する構成を有する第２変形例にすることも勿論可能である。すなわち、この第２変形例は、図５、図６に示すように、ケース本体部２に収納される眼鏡のレンズ１ｃに干渉しない位置にストッパ部材５１を取り付ける。このストッパ部材５１は、小物収納蓋５が完全に開かれたときに、１８０度以上開かないようにして支持するためのもので、これにより、小物収納蓋５が眼鏡のレンズ１ｃ面に垂れ下がって接触するのを食い止めるようにしている。他方、ケース蓋部４裏側に、例えばスポンジ材等の軟質の合成樹脂材で形成されたクッション部材５２を取り付け、ケース蓋部４を締めた（閉じた）ときに、弾性収縮変形をしてケース蓋部４と小物収納蓋５との間の接触部に隙間が生じないようにする。
【００２８】
この第２変形例によれば、ケース蓋部４を閉じたときには、小物収納蓋５は、ストッパ５１と、クッション部材５２との間に挟まれるような状態で、ケース蓋部４との間で小物収納部Ｓ２が形成されるようになる。
したがって、第２変形例における眼鏡の収納手順は、ケース蓋部４を開けた状態にして、眼鏡を眼鏡収納スペースＳ１に収納する。次いで、開閉ひも６を摘んで小物収納蓋５を完全に開き（図５参照）、眼鏡チェーン１ｂを溝５ｄに引っ掛け（図４参照）、チェーン１ｂを小物収納蓋５に載せる。この状態で、ケース蓋部４を締めて閉じることにより、眼鏡１は眼鏡ケースに収納され、携行することができるようになり、上記実施の形態の場合と同様に、チェーンにより眼鏡レンズが傷付いたりするのを未然に回避することができるようになる。
【００２９】
また、上記実施の形態では、小物収納スペースＳ２は一つの空間として形成した場合であったが、図１に示すように、小物収納蓋５裏側に仕切部材７を適宜設けることにより、小物収納スペースＳを間仕切るように形成するようにしてもよい。すなわち、仕切部材７を設けることにより、眼鏡チェーン１ｂを収納するスペースと、イヤリングや指輪などの装身具である小物を収納する小物収納スペースとに仕分けするように構成することも可能である。この構成によれば、小物をも眼鏡チェーン１ｂで傷付けられることなく収納して携行できるので便利である。
また、上記実施の形態の小物収納蓋５には、小物収納スペースＳ２に収納できる大きさの物でさえあれば、小物として装身具の他に、レンズクリーナ、コンタクトレンズ、その洗浄液体容器など、収納される物に制限はない。
また、上記実施の形態の小物収納蓋５には、側周辺部５ｂや中央周辺部５ｃを有する形状に形成した場合について説明したが、勿論、小物収納蓋５の形状は、これに限定されるものでなく、眼鏡ケース本体の形状に合わせて、その形状が適宜形成されるものであることはいうまでもない。
また、眼鏡チェーン１ｂは、金属素材で形成されたチェーンであったが、それ以外の素材、例えば、合成樹脂材などで形成された眼鏡チェーンにも適用できるのは言うまでもない。
【００３０】
【発明の効果】
以上のように、請求項１記載の眼鏡ケースによれば、ケース蓋部の裏側に開閉可能に取り付けられた小物収納蓋を閉じることにより、小物収納スペースが形成されるため、小物類を容易に小物収納蓋内に収納できて便利となる効果を奏する。
【００３１】
また、請求項２記載の発明によれば、眼鏡チェーンを、小物収納蓋の溝に掛けた状態で、小物収納スペースにしまい込むことができ、そのため、眼鏡本体と眼鏡チェーンとを区分けした状態で眼鏡ケース内に収納でき、眼鏡ケースを携行しても、眼鏡ケース内部で眼鏡チェーンが踊ることがないので、眼鏡レンズをチェーンで傷付けられることを未然に回避できる効果を奏する。
【００３２】
また、請求項３記載の発明によれば、ケース蓋部の裏側に開閉可能に取り付けられた小物収納蓋が、ケース蓋部側に閉じられたとき、ヒンジ部材に設けたばね部材のばね力により、ケース蓋部の裏側に常時当接（密着）することとなり、ケース蓋部との間に隙間を生じるようなことがなく、小物収納スペース内に収納された眼鏡チェーン等の小物類が小物収納スペースから外部に不用意にはみ出すようなことがなく、その結果、眼鏡レンズを眼鏡チェーンや小物で傷付けられることを確実に阻止できる効果を奏する。
【００３３】
また、請求項４記載の発明によれば、小物収納蓋は、例えば粘着テープといった面ファスナー手段を介してケース蓋部に密着した状態で小物収納スペースが形成されるため、眼鏡ケースを携行する最中でも、小物収納蓋が不意に開くことがなく、眼鏡チェーンによる眼鏡レンズの傷つけは回避することができる効果を奏する。
【００３４】
また、請求項５記載の発明によれば、小物収納蓋はヒンジ部材の回りに自由に回転し、小物収納蓋を開いたときには、ストッパ部材により受け止められて支持される。ケース蓋部をケース本体部に締めると、小物収納部はストッパ部材とクッション部材との間に挟まれる。このとき、クッション部材は弾性変形するようになり、これにより小物収納蓋は、ケース蓋部との間に隙間を生じることがない。このため、小物収納スペース内部の小物類が外部へはみ出すようなことを回避できる効果を奏する。
【図面の簡単な説明】
【図１】本発明の実施の形態に係る眼鏡ケースを開いた状態で示した外観斜視図である。
【図２】上記眼鏡ケースのケース蓋部を開く状態を説明する横断面図である。
【図３】上記ケース蓋部４の小物収納蓋を開く状態を説明する横断面図である。
【図４】眼鏡および眼鏡チェーンを収納する状態を説明する平面図である。
【図５】上記実施の形態の第２変形例に係り、ケース蓋部を開いた状態を示す横断面図である。
【図６】上記第２変形例に係り、ケース蓋部を閉じた状態を示す横断面図である。
【符号の説明】
１…眼鏡（チェーン付き眼鏡）
１ａ…ツル
１ｂ…眼鏡チェーン
１ｃ…眼鏡レンズ
２…ケース本体部
３…ケースヒンジ部
４…ケース蓋部
５…小物収納蓋
５ａ…ヒンジ部材
５ｂ…側周辺部
５ｃ…中央周辺部
５ｄ…溝
５１…ストッパ部材
５２…クッション部材
６…開閉ひも
７…仕切部材
Ｆ…面ファスナー手段
Ｓ１…眼鏡収納スペース
Ｓ２…小物収納スペース
【図１】
2004201923.tif 000003
【図２】
2004201923.tif 000004
【図３】
2004201923.tif 000005
【図４】
2004201923.tif 000006
【図５】
2004201923.tif 000007
【図６】
2004201923.tif 000008